(57)【要約】  記録動作の再開タイミングを記録停止位置の検出と同期させる処理等を行うことなく簡易な方法によりディスク状記録媒体に対する記録情報の連続性を確保することを可能とする情報記録装置、情報記録制御方法及び情報記録制御プログラムを提供する。  システム制御部１１３が、バッファメモリ１０９に一時的に記憶されている画像形成データのデータ量不足しているか否かを監視して、光ディスク１０のレーベル面に対する画像の記録を一時停止するか否かを判定し、画像の記録を一時停止すると判定したときには、エンコーダ１１１による読み出し処理、変換処理やレーザ駆動回路１１２による出力処理は継続させつつ、光ディスク１０の画像形成層における可視光特性の変化部分の形成を１周分停止させるダミーデータをバッファメモリ１０９に挿入記憶することにより、当該ダミーデータがエンコーダ１１１により読み出されるように制御する。
2007086297.tif 000002
【特許請求の範囲】
【請求項１】
入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置において、
前記ディスク状記録媒体に対する前記入力情報の記録を一時停止するか否かを判定する判定手段と、
前記判定手段により前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御手段と、
を備えることを特徴とする情報記録装置。
【請求項２】
請求項１に記載の情報記録装置において、
前記ダミー情報は、前記記録手段による記録動作では前記ディスク状記録媒体上に前記状態の変化する部分が形成されない情報であることを特徴とする情報記録装置。
【請求項３】
請求項１に記載の情報記録装置において、
前記ダミー情報は、前記ディスク状記録媒体上に前記状態の変化する部分が形成されないように前記記録手段の記録パワーを制御するための制御情報を含むことを特徴とする情報記録装置。
【請求項４】
請求項１乃至３のいずれか１項に記載の情報記録装置において、
前記ダミー情報の情報量は、前記ディスク状記録媒体の半径方向に対する前記記録手段の記録位置における前記所定周回分の記録情報量に相当する情報量であることを特徴とする情報記録装置。
【請求項５】
請求項１に記載の情報記録装置において、
前記判定手段により前記ディスク状記録媒体に対する記録を一時停止すると判定されたとき、前記ディスク状記録媒体の半径方向に対する前記記録手段の記録位置の移動を停止させる移動制御手段を更に備えることを特徴とする情報記録装置。
【請求項６】
請求項１に記載の情報記録装置において、
前記判定手段は、前記記憶手段に記憶されている前記入力情報が不足している場合に、前記ディスク状記録媒体に対する前記入力情報の記録を一時停止すると判定することを特徴とする情報記録装置。
【請求項７】
請求項６に記載の情報記録装置において、
前記判定手段は、前記記憶手段に記憶されている前記入力情報が、前記ディスク状記録媒体の半径方向に対する前記記録手段の記録位置における前記所定周回分の記録情報量に満たない場合に前記入力情報が不足していると判定することを特徴とする情報記録装置。
【請求項８】
入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置における情報記録制御方法であって、
前記ディスク状記録媒体に対する前記入力情報の記録を一時停止するか否かを判定する判定工程と、
前記判定工程において前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御工程と、
を備えることを特徴とする情報記録制御方法。
【請求項９】
入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置に含まれるコンピュータを、
前記ディスク状記録媒体に対する前記入力情報の記録を一時停止するか否かを判定する判定手段、
前記判定手段により前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御手段、
として機能させることを特徴とする情報記録制御プログラム。
【発明の詳細な説明】
【技術分野】
【０００１】
本願は、ディスク状記録媒体に情報を記録する情報記録装置、情報記録制御方法及び情報記録制御プログラムの技術分野に関する。
【背景技術】
【０００２】
近年、ＣＤ（Compact Disc）やＤＶＤ（Digital Versatile Disc）等といった光ディスクの分野においては、情報記録面に対する情報記録を行うためのレーザを用いてその反対側のレーベル面に対して視認可能な画像を形成する技術が実用化されている（例えば、LabelFlash（商標）、LightScribe（商標）等）。【０００３】
かかる技術における光ディスクとしては、所定パワー以上のレーザ光が照射されることにより可視光特性が変化する有機色素膜等からなる画像形成層が、そのレーベル面側の保護層の下に形成されたものが一例として挙げられる。【０００４】
このような光ディスクに対する画像形成方法の一例としては、先ず、ホストコンピュータにおいて、所望の画像データを光ディスクの半径方向所定間隔ごとにおいて１周分の画像形成データとして分解し、これらのデータを光ディスク記録装置に順次出力する。光ディスク記録装置においては、通常の情報記録とは表裏逆にしてターンテーブルに装着された光ディスクをスピンドルモータにより回転させ、ホストコンピュータから入力された画像形成データをバッファメモリに一時的に記憶しつつ、その記憶された画像形成データを読み出してエンコーダにより変調等した後、レーザ駆動回路に出力する。そして、レーザ駆動回路により光ピックアップのレーザダイオードを駆動することで、回転している光ディスクの画像形成層に対してレーザ光を画像形成データに対応したパターンで１周分照射すると、画像形成層の可視光特性が変化し、光ピックアップが位置決めされた半径位置において光ディスクに１周分の画像が記録される。その後、光ピックアップを半径方向に所定間隔だけ移動させて、更に入力された画像形成データに対応してレーザ光を１周分照射する。このようにしてレーザ光の照射及び光ピックアップの移動を繰り返すことにより、所定間隔ごとの画像記録が全て完了すると、光ディスクのレーベル面に所望の画像が形成されるようになっている。【０００５】
ところで、上述した光ディスク記録装置による画像形成の途中において、ホストコンピュータからの画像形成データの入力速度が記録速度に追いつかず、バッファメモリから読み出すべき画像形成データがなくなると、光ディスクに対する画像形成データの記録の連続性が阻害され、画像形成を正常に行えないという、所謂バッファアンダーランが発生するという問題がある。【０００６】
その防止策としては、例えば、特許文献１に開示されているようなディスクアットワンスやトラックアットワンス等により光ディスクの情報記録面に対する情報を記録する際のバッファアンダーラン対策技術を適用することが考えられる。この場合、バッファアンダーランが発生する状況となったら、エンコーダによる読み出し処理を停止させること等により光ディスクに対する記録動作を一時停止し、バッファメモリに十分な画像形成データが蓄積されたら、光ディスク上における記録停止位置に記録再開位置を合わせて記録動作を再開することとなる。
【特許文献１】特開２０００−１４９２６３号公報
【発明の開示】
【発明が解決しようとする課題】
【０００７】
しかしながら、上述した防止策において、記録再開位置を記録停止位置に合わせるためには、記録動作を再開させるタイミングを記録停止位置の検出と同期させる等の複雑な処理が必要となる。【０００８】
本願は、以上の点に鑑みてなされたものであり、その課題の一例は、記録動作の再開タイミングを記録停止位置の検出と同期させる処理等を行うことなく簡易な方法によりディスク状記録媒体上における記録情報の連続性を確保することを可能とする情報記録装置、情報記録制御方法及び情報記録制御プログラムを提供することにある。
【課題を解決するための手段】
【０００９】
上記課題を解決するために、本願の一つの観点では、入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置において、前記ディスク状記録媒体に対する前記入力情報の記録を一時停止するか否かを判定する判定手段と、前記判定手段により前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御手段と、を備えることを特徴とする。【００１０】
本願の他の観点では、入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置における情報記録制御方法であって、前記ディスク状記録媒体に対する前記入力情報の記録を一時停止するか否かを判定する判定工程と、前記判定工程において前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御工程と、を備えることを特徴とする。【００１１】
本願の更に他の観点では、入力情報を一時的に記憶する記憶手段と、前記入力情報に対応する状態をディスク状記録媒体上に形成することにより当該ディスク状記録媒体に対する情報記録を行う記録手段と、前記記憶手段に記憶された入力情報を読み出し前記記録手段に入力する読み出し手段と、を備える情報記録装置に含まれるコンピュータを、前記ディスク状記録媒体に対する前記入力情報の記録を一時停止するか否かを判定する判定手段、前記判定手段により前記ディスク状記録媒体に対する記録を一時停止すると判定されたとき、前記読み出し手段における読み出し及び入力処理を継続させつつ前記ディスク状記録媒体上において前記状態が変化する部分の形成を所定周回停止させるダミー情報を前記読み出し手段に入力する記録制御手段、として機能させることを特徴とする。
【図面の簡単な説明】
【００１２】
【図１】本実施形態に係る光ディスク記録装置１の概要構成の一例を示すブロック図である。
【図２】バッファメモリ１０９にデータが記憶される様子及び光ディスク１０に画像が記録される様子の一例を示す図である。
【図３】バッファメモリ１０９にデータが記憶される様子及び光ディスク１０に画像が記録される様子の一例を示す図である。
【図４】本実施形態に係る光ディスク記録装置１のシステム制御部１１３の処理例を示すフローチャートである。
【符号の説明】
【００１３】
１  光ディスク記録装置
２  ホストコンピュータ
１０  光ディスク
１０１  スピンドルモータ
１０２  周波数発生器
１０３  ステッピングモータ
１０４  光ピックアップ
１０５  ＲＦアンプ
１０６  サーボ回路
１０７  デコーダ
１０８  インタフェース
１０９  バッファメモリ
１１０  ＰＬＬ
１１１  エンコーダ
１１２  レーザ駆動回路
１１３  システム制御部
【発明を実施するための最良の形態】
【００１４】
以下、図面を参照して本願の最良の実施形態について詳細に説明する。なお、以下に説明する実施の形態は、ＤＶＤ−Ｒ、ＤＶＤ−ＲＷ等の追記可能なＤＶＤ（以下、単に光ディスクと称する）の情報記録面に情報を記録するとともに、そのレーベル面に視認可能な画像を形成する光ディスク記録装置に対して本願を適用した場合の実施形態である。
［１．光ディスク記録装置の構成及び機能等］
先ず、本実施形態に係る光ディスク記録装置の構成及び機能について、図１を用いて説明する。【００１５】
図１は、本実施形態に係る光ディスク記録装置１の概要構成の一例を示すブロック図である。【００１６】
図１に示すように、光ディスク記録装置１は、スピンドルモータ１０１と、周波数発生器１０２と、ステッピングモータ１０３と、記録手段の一例としての光ピックアップ１０４と、ＲＦ（Radio Frequency）アンプ１０５と、サーボ回路１０６と、デコーダ１０７と、インタフェース１０８と、記憶手段の一例としてのバッファメモリ１０９と、ＰＬＬ（Phase Locked Loop）１１０と、エンコーダ１１１と、レーザ駆動回路１１２と、判定手段、記録制御手段及び移動制御手段の一例としてのシステム制御部１１３と、を含んで構成されている。また、エンコーダ１１１及びレーザ駆動回路１１２は、読み出し手段の一例を構成する。【００１７】
この光ディスク記録装置１は、インタフェース１０８を介してホストコンピュータ２と接続されるようになっており、ホストコンピュータ２から出力されたコンテンツデータ（例えば、音声データ、画像データ、その他のデータ、プログラム等）を入力し、当該コンテンツデータを光ディスク１０の情報記録面に記録するとともに、ホストコンピュータ２から出力された画像形成データ（入力情報の一例）を入力し、当該画像形成データに基づいて光ディスク１０のレーベル面に画像を形成するようになっている。【００１８】
ホストコンピュータ２は、例えば、ＣＰＵ（Central Processing Unit）、ＲＡＭ（Random Access Memory）、ＲＯＭ（Read Only Memory）、記憶部（例えば、ハードディスクドライブ等）、表示部（例えば、液晶ディスプレイ等）、操作部（例えば、キーボード、マウス等）等により構成されており、記憶部には、画像データや画像形成アプリケーションプログラム等が記憶されている。そして、ホストコンピュータ２は、ＣＰＵが記憶部に記憶されている面画像形成アプリケーションプログラムを読み出し実行することにより、記憶部に記憶されている画像データに基づいて画像形成データを生成し、当該画像形成データを光ディスク記録装置１に出力しつつ、光ディスク１０のレーベル面に画像形成させるように光ディスク記録装置１を制御するようになっている。【００１９】
具体的に画像形成データの生成は、例えば、画像データに基づいて表示部に表示された画像上において、ある位置がユーザ等により指定されると、その位置を中心とした半径方向所定間隔ごとの円周上において、更にその円周方向所定角度ごとに位置する画素の色彩等を白黒またはグレースケール等で規定したデータに変換すること等により行われる。【００２０】
ディスク状記録媒体の一例としての光ディスク１０は、光ディスク記録装置１に備えられた図示せぬ装填機構におけるトレイに装填されること等により光ディスク記録装置１内に挿入され、図示せぬターンテーブルにより支持される。この光ディスク１０は、その情報記録面からレーベル面へ、例えば、ポリカーボネート等の透明基板、有機色素膜または相変化膜等からなる記録層、反射層、有機色素膜等からなる画像形成層、ポリカーボネート等の保護層の順で形成されている（いずれも図示せず）。【００２１】
そして光ディスク１０の情報記録面側から、コンテンツデータに対応したパワーのレーザ光が画像形成層に照射され、この照射されたレーザ光のパワーが、所定パワー以上であるときは、その照射された部分に色素変色または相変化等が生じ、所定パワーに満たないときは、その照射された部分には色素変色または相変化等が生じないことで、コンテンツデータに対応した状態が形成され、これにより、情報が記録されるようになっている。【００２２】
一方、光ディスク１０のレーベル面側から、画像形成データに対応したパワーのレーザ光が画像形成層に照射され、この照射されたレーザ光のパワーが、所定パワー以上（以下、書き込みパワーと称する）であるときは、その照射された部分に可視光特性の変化（状態の変化の一例）が生じ、書き込みパワーに満たないときは、その照射された部分には可視光特性が変化しないことで、画像形成データに対応した状態が形成され、これにより、画像（情報の一例）が記録されるようになっている。【００２３】
スピンドルモータ１０１は、ターンテーブルを回転駆動することにより、当該ターンテーブルにより支持されている光ディスク１０を回転させるようになっており、その回転速度はサーボ回路１０６により制御されるようになっている。本実施形態においてはＣＡＶ（Constant Angular Velocity）方式でデータの記録や画像形成を行うため、スピンドルモータ１０１は、一定の角速度で回転することとなる。【００２４】
周波数発生器１０２は、スピンドルモータの１回転を所定数に分割した回転角度ごとにＦＧ（Frequency Generator）信号を発生させ、そのＦＧ信号をサーボ回路１０６及びＰＬＬ１１０に出力するようになっている。【００２５】
ステッピングモータ１０３は、サーボ回路１０６から出力された駆動信号に基づいて回転駆動することにより、光ピックアップ１０４を光ディスク１０の半径方向に移動させるようになっている。【００２６】
光ピックアップ１０４は、例えば、レーザダイオード、対物レンズ、アクチュエータ、光センサ等により構成されており、レーザ駆動回路１１２から出力された駆動信号に対応したパワーのレーザ光をレーザダイオードにより出射して、そのレーザ光を対物レンズにより光ディスク１０に照射するようになっている。また、光ピックアップ１０４は、光ディスク１０からの反射光を光センサにて検出し、その検出信号をＲＦアンプ１０５に出力するようになっている。更に、光ピックアップ１０４は、サーボ回路から出力される補正信号に基づいて対物レンズを光ディスク１０の半径方向及び垂直方向に移動させるようになっている。これによりトラッキング制御及びフォーカッシング制御が実現される。【００２７】
ＲＦアンプ１０５は、光ピックアップ１０４から出力された検出信号を増幅等し、ＲＦ信号としてサーボ回路１０６及びデコーダ１０７に出力されるようになっている。【００２８】
サーボ回路１０６は、システム制御部１１３による制御の基、スピンドルモータ１０１の回転制御、光ピックアップ１０４の半径位置の制御、光ピックアップ１０４のトラッキング制御及びフォーカッシング制御を行うようになっている。具体的にサーボ回路１０６は、周波数発生器１０２から出力されたＦＧ信号の入力間隔に基づいて駆動信号を生成し、当該駆動信号をスピンドルモータ１０１に出力することにより、スピンドルモータ１０１の回転速度を制御するようになっている。また、サーボ回路１０６は、システム制御部１１３から出力された指示信号に基づいてステッピングモータの回転駆動を制御し、光ディスク１０においてシステム制御部１１３から指示された半径位置（情報記録面に対して記録する場合はトラック）に光ピックアップ１０４を移動させるようになっている。更に、サーボ回路１０６は、ＲＦアンプ１０５から出力されたＲＦ信号に基づいて補正信号を生成し、当該補正信号を光ピックアップ１０４に出力することによりトラッキング制御及びフォーカッシング制御を行うようになっている。【００２９】
デコーダ１０７は、ＲＦアンプから出力されたＲＦ信号に対して復調、誤り訂正等を施すことで再生データを生成し、当該再生データをインタフェース１０８またはシステム制御部１１３に出力するようになっている。【００３０】
インタフェース１０８は、光ディスク記録装置１とホストコンピュータ２とのインタフェース処理を行うようになっている。具体的にインタフェース１０８は、ホストコンピュータから出力されたコンテンツデータや画像形成データをバッファメモリ１０９に記憶するとともに、デコーダ１０７から出力された再生データをホストコンピュータ２に出力するようになっている。また、インタフェース１０８は、光ディスク記録装置１の動作を制御する制御データがホストコンピュータ２から出力されると、当該制御データをシステム制御部１１３に出力するようになっている。【００３１】
バッファメモリ１０９は、ホストコンピュータ２から出力されたコンテンツデータや画像形成データを一時的に記憶するようになっている。このバッファメモリ１０９に記憶されたデータは、その後に記憶されたデータよりも先にエンコーダ１１１により読み出されるようになっている（つまり、ＦＩＦＯ（First-In First-Out）方式による記憶・読み出しが行われる）。【００３２】
ＰＬＬ１１０は、周波数発生器１０２から出力されたＦＧ信号を逓倍することにより、ＦＧ信号の周波数に対して所定倍数の周波数のＰＬＬ信号を生成し、当該ＰＬＬ信号をエンコーダ１１１に出力するようになっている。【００３３】
エンコーダ１１１は、システム制御部１１３による制御の基、バッファメモリ１０９に記憶されたデータを、ＰＬＬ１１０から出力されたＰＬＬ信号に同期して読み出して記録データに変換し、当該記録データをレーザ駆動回路１１２に出力するようになっている。具体的に、エンコーダ１１１は、情報記録面に対する記録の際には、読み出したコンテンツデータに対して誤り訂正符号の付加、変調等を施すことにより記録データを生成し、レーベル面に対する記録の際には、読み出した画像形成データのフォーマットを画像形成に適したフォーマットに変換することにより記録データを生成するようになっている。【００３４】
レーザ駆動回路１１２は、光ピックアップ１０４のレーザダイオードをエンコーダ１１１から出力された記録データに対応して駆動することによりレーザ光を出射させるための駆動信号（入力情報の一例）を生成し、当該駆動信号を光ピックアップ１０４に出力するようになっている。【００３５】
システム制御部１１３は、例えば、ＣＰＵ、ＲＡＭ、ＲＯＭ、Ｉ／Ｏポート等により構成されており、ＣＰＵがＲＯＭに記憶されている各種制御プログラム（情報記録制御プログラムも含まれる）を読み出し実行することにより光ディスク記録装置１の各部を制御するとともに、判定手段、記録制御手段及び移動制御手段として機能するようになっている。【００３６】
具体的に、判定手段としてのシステム制御部１１３は、光ディスク１０のレーベル面に対して画像形成データに基づく画像の記録が実行されている際、バッファメモリに一時記憶されている画像形成データのデータ量を監視している。そして、システム制御部１１３は、その記憶データ量が、バッファアンダーランが発生するおそれ（または、実際にバッファアンダーランが発生する状況となった場合）がある程度に減少している（画像形成データが不足している）か否かを判定し、バッファアンダーランが発生するおそれがあると判定した場合には、後述するように、記録制御手段として画像の記録を一時停止させるように制御するようになっている。【００３７】
バッファアンダーランが発生するおそれがある（画像形成データが不足している）と判定するデータ量の閾値としては、例えば、光ディスク１０において、次に記録対象となる半径位置に対応した１周分または複数周回分の記録データ量としても良いし、または、予め閾値を固定で設定しておいても良いし、あるいは、閾値を０（すなわち、バッファメモリに一時記憶されている画像形成データが完全に無くなった場合）としても良い。なお、光ディスク１周分の記録データ量は、例えば、システム制御部１１３のＲＯＭに予め記憶されている設定値やホストコンピュータ２により指定された画像解像度等により決定され、また、エンコーダ１１１は、周波数発生器１０２から出力されたＦＧ信号に基づいてＰＬＬ１１０が出力したＰＬＬ信号に同期して読み出し処理を行うことにより、光ディスク１０の回転速度に対応したタイミングで記録動作が実行されることから、光ディスク１周分の記録データ量は、半径方向における記録位置にかかわらず一定となる。【００３８】
記録制御手段としてのシステム制御部１１３は、バッファアンダーランが発生するおそれがあると判定すると、エンコーダ１１１による読み出し処理、変換処理やレーザ駆動回路１１２による駆動信号の出力処理（光ピックアップ１０４に対する駆動信号の入力処理）をはじめとした、画像形成のための各部における記録動作は継続させつつ、光ディスク１０の画像形成層において可視光特性の変化部分の形成を停止させるダミーデータ（ダミー情報の一例）がエンコーダ１１１に入力されるように制御する。【００３９】
具体的に、システム制御部１１３は、光ディスク１０の画像形成層の可視光特性の変化が形成されない色、階調等を示すデータを内容とするダミーデータを生成し、当該ダミーデータをバッファメモリ１０９に挿入記憶して、画像形成データより先にエンコーダ１１１に読み出されるようにする。そうすると、このダミーデータがエンコーダ１１１に読み出されて記録データに変換され、この記録データに対応してレーザ駆動回路１１２により駆動信号が出力されて光ピックアップ１０４のレーザダイオードが駆動されるが、その結果として書き込みパワーに達しないレーザ光が出射され（または、レーザ光の出射が停止され）、画像形成層の可視光特性が変化しない。つまり、画像の記録は停止された状態となる。【００４０】
例えば、光ディスク１０の画像形成層が、可視光特性が変化すると可視光の反射率が上昇（つまり、可視光特性の変化前と比較して明るい色として視認される）するような特性を有する場合、画像形成データが明度の高い色を示していると、レーザダイオードの出射パワーは書き込みパワーに達するようにレーザ駆動回路１１２より駆動制御され、画像形成データが最低明度の色を示していると、その出射パワーは書き込みパワーに達しないように駆動制御される。従って、この様な場合には、黒色または明度が最低の階調を示すデータをダミーデータに設定すれば、画像形成層の可視光特性は変化しない。その逆に、画像形成層の可視光特性が変化すると可視光の反射率が低下するような場合であれば、白色または明度が最高の階調を示すデータをダミーデータに設定すれば良い。【００４１】
バッファメモリ１０９に挿入記憶するダミーデータのデータ量は、ダミーデータに対応して光ピックアップ１０４の記録動作が実行される半径位置に対応する１周分（または、所定周回分）の記録データ量に一致させる。こうすることで、画像の記録を一時停止した位置（光ディスク１０の円周方向における位置）からダミーデータによる記録動作が開始され（実際には画像が形成されない）、ダミーデータによる記録動作が１周分実施される結果、光ピックアップ１０４の記録位置は丁度画像の記録を一時停止した位置に戻ることとなる。その間に、画像の記録を再開するために十分な画像形成データがバッファメモリ１０９に蓄積されていれば、その画像形成データがダミーデータに後続してエンコーダ１１１に読み出されることにより、画像の記録を一時停止した位置から必然的に記録が再開される。一方、十分な画像形成データが蓄積されない間は、更にダミーデータを挿入記憶することで、ダミーデータによる記録動作が継続され、その後、十分な画像形成データが蓄積されて、画像の記録が再開されると、その位置は結局記録を一時停止した位置となる。【００４２】
このように、ダミーデータをバッファメモリ１０９に挿入記憶するという簡易な処理により、記録再開位置を記録停止位置に合わせるための複雑な同期処理等を行うことなく光ディスク１０の画像形成層に記録される画像の連続性を確保することができるのである。【００４３】
移動制御手段としてのシステム制御部１１３は、ダミーデータによる記録動作が実行されている間、ステッピングモータ１０３による光ピックアップ１０４の半径方向の移動を停止させるようにサーボ回路１０６を制御する。これにより、スムーズに画像の記録が再開される。【００４４】
上述したシステム制御部１１３の制御により画像が記録されていく様子の具体例を、図２及び図３を用いて説明する。【００４５】
図２及び図３は、夫々バッファメモリ１０９にデータが記憶される様子及び光ディスク１０に画像が記録される様子の一例を示す図である。【００４６】
ここで、光ディスク１０所定間隔ごとの記録位置を、記録を開始する半径位置から外周に向かって１ライン、２ライン、３ライン等と呼ぶこととする。【００４７】
先ず、第１の例は、バッファアンダーランが発生するおそれがあると判定するデータ量の閾値を、光ディスク１０の１周分の記録データ量とした場合の例である。【００４８】
図２（ａ）に示すように、バッファメモリ１０９に、光ディスク１０の１ライン目及び２ライン目の円周上に対応する画像形成データが夫々１周分蓄積されている。この場合、先ず、１ライン目の画像形成データがエンコーダ１１１に読み出され、光ディスク１０の１ライン目に画像が記録されると、光ピックアップ１０４が半径方向に所定間隔だけ移動し、２ライン目の画像形成データがエンコーダ１１１に読み出されて、２ライン目の半径位置に画像が記録される。ここで、３ライン目の画像形成データの蓄積量は１周分に達していないため、図２（ｂ）に示すように、１周分のダミーデータが３ライン目の画像形成データの前に挿入記憶される。そうすると、図２（ｃ）に示すように、光ピックアップ１０４の半径方向の移動が停止されるとともに、ダミーデータがエンコーダ１１１に読み出される。このとき、記録動作は継続するが、画像の記録は実際には発生しない。この時点においても、３ライン目の画像形成データの蓄積量が１周分に達していないので、更に１周分のダミーデータが挿入記憶されて、図２（ｄ）に示すように、このダミーデータもエンコーダ１１１に読み出され、記録動作が継続する。その間に、３ライン目の画像形成データが１周分蓄積されたので、図２（ｅ）に示すように、光ピックアップ１０４の半径方向の移動が再開されるとともに、３ライン目の画像形成データがエンコーダ１１１に読み出され、３ライン目の半径位置に画像が記録される。このときの記録再開位置は、３ライン目の半径位置において記録を開始する位置、すなわち、記録が一時停止された位置である。【００４９】
次に、第２の例は、閾値を０とした場合の例である。【００５０】
先ず、図３（ａ）に示すように、図２（ａ）の場合と同様にして、１ライン目、２ライン目の順で画像形成データがエンコーダ１１１に読み出されて画像が記録され、図３（ｂ）に示すように、３ライン目に対応する画像形成データも、蓄積されている分だけエンコーダ１１１に読み出され、光ディスク１０に画像が記録される。そして、画像形成データが完全に無くなったときに１周分のダミーデータを挿入記憶すると、図３（ｃ）に示すように、ダミーデータがエンコーダ１１１に読み出され、光ピックアップ１０４の半径方向の移動が停止された状態で記録動作が継続される。その間に、３ライン目の残りの画像形成データが蓄積されると、図３（ｄ）に示すように、この残りの画像形成データがエンコーダ１１１に読み出され、画像の記録が一時停止された位置から記録が再開される。
［２．光ディスク記録装置の動作］
次に、光ディスク１０のレーベル面に画像を形成する場合の光ディスク記録装置１の動作について、図４を用いて説明する。なお、情報記録面にコンテンツデータを記録する方法は公知であるので、詳細な説明は省略する。【００５１】
図４は、本実施形態に係る光ディスク記録装置１のシステム制御部１１３の処理例を示すフローチャートである。【００５２】
はじめに、ユーザにより、画像形成対象の光ディスク１０が、レーベル面を下向き（レーザ光が照射される方向）にしてトレイに装填されて、光ディスク記録装置１内に挿入されて、ターンテーブルに支持される。そして、ユーザは、ホストコンピュータ２を操作して画像形成アプリケーションプログラムを起動し、所望の画像データを選択して、レーベル面に対する画像形成を指示する。そうすると、ホストコンピュータ２は、画像データから画像形成データを生成し、光ディスク記録装置１に対してレーベル面の画像形成を指示する制御データを出力するとともに、画像形成データを内周側のデータから順に出力する。【００５３】
ホストコンピュータ２から出力された制御データは、光ディスク記録装置１においてインタフェース１０８を介してシステム制御部１１３に入力され、これによりシステム制御部１１３はサーボ回路１０６に対してスピンドルモータ１０１の回転及び光ピックアップ１０４の移動を指示する信号を出力すると、サーボ回路１０６によりスピンドルモータ１０１の回転制御及びステッピングモータ１０３の回転制御が開始される。そして、スピンドルモータ１０１において光ディスク１０の回転が所定回転数で安定し、ステッピングモータにより光ピックアップ１０４が光ディスク１０において画像の記録を開始する半径位置（例えば、ホストコンピュータ２からの制御データにより指定された半径位置等）に移動されると、システム制御部１１３は、エンコーダ１１１に対して変換処理の開始を指示する制御信号を出力する。【００５４】
一方、ホストコンピュータ２から出力された画像形成データは、インタフェース１０８を介してバッファメモリ１０９に順次記憶される。そして、エンコーダ１１１がバッファメモリ１０９からの画像形成データの読み出し及び変換処理を開始することで、レーザドライバ駆動回路１１２から出力された駆動信号により光ピックアップ１０４のレーザダイオードが駆動され、光ディスク１０のレーベル面に対する画像記録が開始される（図４ステップＳ１）。【００５５】
その後は、光ディスク記録装置１の各部による記録動作により、光ディスク１０の内周側から１ラインずつ画像が記録されていく。この動作と平行して、システム制御部１１３は、画像記録が全て終了したか否かを判定し（ステップＳ２）、終了していない場合は（ステップＳ２：ＮＯ）、所定のタイミングで（例えば、１周分の画像記録が終了した時点等）、バッファメモリ１０９に十分な画像形成データが蓄積されているか否か（例えば、１周分の画像形成データが蓄積されているか否か）を判定し（ステップＳ３）、十分蓄積されている場合は（ステップＳ３：ＹＥＳ）、判定処理を続行する（ステップＳ２〜Ｓ３）。【００５６】
一方、画像形成データが十分蓄積されていない場合は（ステップＳ３：ＮＯ）、バッファアンダーランのおそれがあるとして、システム制御部１１３は、光ディスク１０の半径方向に対する光ピックアップ１０４の移動を停止させるようサーボ回路１０６を制御するとともに（ステップＳ４）、バッファメモリ１０９に１周分のダミーデータを挿入記憶する（ステップＳ５）。そうすると、エンコーダ１１１によりダミーデータが読み出され、半径方向に対する光ピックアップ１０４の移動は停止しつつ１周分のダミーデータによる記録動作が継続される。その間、光ディスク１０に対する画像記録は実際には発生しないまま、光ディスク１０は丁度１回転する。【００５７】
次いで、システム制御部１１３は、バッファメモリ１０９に十分な画像形成データが蓄積されたか否かを判定し（ステップＳ６）、未だに十分な画像形成データが蓄積されていない場合は（ステップＳ６：ＮＯ）、更に１周分のダミーデータをバッファメモリ１０９に挿入記憶する（ステップＳ５）。【００５８】
こうして、ダミーデータによる記録動作が継続されている間に、バッファメモリ１０９に十分な画像形成データが蓄積されると（ステップＳ６：ＹＥＳ）、システム制御部１１３は、ダミーデータの挿入記憶を終了させ、光ディスク１０の半径方向に対する光ピックアップ１０４の移動を許可するようサーボ回路１０６を制御する（ステップＳ７）。そうすると、ダミーデータに後続する画像形成データがエンコーダ１１１により読み出されることにより、記録を一時停止した位置から画像の記録が再開される。【００５９】
このようにして、光ディスク１０のレーベル面に対して画像が記録されていき、その記録が全て終了すると（ステップＳ２：ＹＥＳ）、システム制御部１１３は処理を終了する。【００６０】
以上説明したように、本実施形態によれば、システム制御部１１３が、バッファメモリ１０９に一時的に記憶されている画像形成データのデータ量不足しているか否かを監視して、光ディスク１０のレーベル面に対する画像の記録を一時停止するか否かを判定し、画像の記録を一時停止すると判定したときには、エンコーダ１１１による読み出し処理、変換処理やレーザ駆動回路１１２による出力処理（光ピックアップ１０４に対する駆動信号の入力処理）は継続させつつ、光ディスク１０の画像形成層における可視光特性の変化部分の形成を１周分（または、所定周回分）停止させるダミーデータをバッファメモリ１０９に挿入記憶することにより、当該ダミーデータがエンコーダ１１１により読み出されるように制御するようになっている。【００６１】
従って、光ディスク１０の半径方向において画像の記録を一時停止した位置から１周分ダミーデータによる記録動作が継続され、その間に、十分な画像形成データがバッファメモリ１０９に蓄積されると、この画像形成データがダミーデータの後にエンコーダ１１１により読み出され、この画像形成データに対応した駆動信号が光ピックアップ１０４に入力されることにより、丁度記録を一時停止した位置から画像の記録が再開されることとなり、バッファアンダーランが発生するような状況であっても、記録動作の再開タイミングを記録停止位置の検出と同期させる処理等を行うことなく、光ディスク１０の画像形成層に形成される画像の連続性を確保することができる。【００６２】
また、このダミーデータは、光ピックアップ１０４による記録動作によっては、光ディスク１０の画像形成層に可視光特性の変化部分が形成されないデータであるので、記録動作自体は継続しつつ簡易に画像の記録を一時停止させることができる。【００６３】
更に、このダミーデータのデータ量は、光ディスク１０の半径方向に対する光ピックアップ１０４の記録位置における１周分の記録データ量に相当するデータ量であるので、記録を一時停止した位置から確実に記録を再開することができる。【００６４】
また更に、システム制御部１１３は、画像の記録を一時停止している間は、光ディスク１０の半径方向に対する光ピックアップ１０４の記録位置を停止させるように制御するので、スムーズに画像の記録を再開させることができる。【００６５】
なお、以上説明した実施形態においては、ダミーデータを、光ディスク１０の画像形成層に可視光特性の変化部分が形成されないデータとしたが、例えば、光ピックアップ１０４のレーザダイオードによるレーザ光のパワーを制御する制御データをダミーデータに含ませるようにしても良い。具体的には、例えば、コンテンツデータの記録や画像の記録には使用されない特定のデータを記録停止制御データ及び記録開始制御データとし、これらの制御データを認識するようにレーザ駆動回路１１２を構成する。そして、システム制御部１１３においては、記録停止制御データをダミーデータの先頭に設定し、記録開始制御データをダミーデータの最後尾に設定する。このとき、先頭と最後尾の間に設定するデータの内容は任意である。このダミーデータをシステム制御部１１３がバッファメモリ１０９に挿入記憶すると、エンコーダ１１１により読み出され、変換処理が施されてレーザ駆動回路１１２に入力される。このとき、レーザ駆動回路１１２において、ダミーデータ（記録データに変換されている）の先頭の記録停止制御データが認識されることにより、レーザ光のパワーが書き込みパワーより低くなるように制御され、最後尾の記録開始データが認識されることにより、レーザ光のパワーが書き込みパワーに達するように制御される。従って、録動作自体は継続しつつも確実に画像の記録を一時停止させることができる。また、例えば、記録停止制御データをダミーデータの先頭から最後尾まで全てに設定し、レーザ駆動回路１１２に、記録停止制御データが入力されている間はレーザ光のパワーが書き込みパワーより低くなるように制御し、記録停止制御データ以外のデータが入力されたらレーザ光のパワーが書き込みパワーに達するように制御するように構成しても良い。【００６６】
また、本実施形態においては、バッファメモリ１０９に画像形成データやダミーデータを記憶し、エンコーダ１１１によりこれらのデータを読み出して記録データを生成し、レーザ駆動回路１１２に出力するように構成していたが、例えば、画像形成データやダミーデータを直接エンコーダ１１１に入力し、エンコーダ１１１により生成された記録データをバッファメモリ１０９により一時記憶させ、この記録データをレーザ駆動回路１１２が読み出すようにしても良い。この場合、レーザ駆動回路１１２は、ＰＬＬ１１０から出力されるＰＬＬ信号に同期して記録データを読み出し、システム制御部１１３は、バッファメモリに記憶されている記録データのデータ量を監視することとなる。【００６７】
また、本実施形態においては、ＣＡＶ方式により画像を記録するように構成していたが、例えば、ＣＬＶ（Constant Linear Velocity）方式で画像を記録するように構成しても良い。【００６８】
また更に、本実施形態においては、エンコーダ１１１は、周波数発生器１０２から出力されたＦＧ信号に基づいてＰＬＬ１１０が出力したＰＬＬ信号に同期して読み出し処理を行うようにしていたが、例えば、固定周波数のクロック信号等に同期して読み出し処理を行っても良い。この場合、読み出しタイミングは固定となるので、ＣＡＶ方式を採用したときには、光ディスク１周分の記録データ量は、半径方向における記録位置にかかわらず一定となるが、ＣＬＶ方式を採用したときには、一定の線速度で光ディスク１０が回転制御されることにより、光ディスク１０の半径方向に対する記録位置が変わると、１周分の記録データ量も変化することから、バッファメモリ１０９に挿入記憶するダミーデータの１周分のデータ量等は、例えば、その半径方向に対する記録位置に基づいてシステム制御部１１３が算出等することとなる。【００６９】
更にまた、本実施形態においては、エンコーダ１１１により画像形成データのフォーマットを画像形成に適したフォーマットに変換するようにしていたが、例えば、画像形成データが既に画像形成に適したフォーマットになっている場合は、変換処理は施さずにそのまま記録データとしてレーザ駆動回路１１２に出力しても良いし、エンコーダ１１１とは別の手段により画像形成データを読み出して記録データとしてレーザ駆動回路１１２に出力しても良い。【００７０】
また、本実施形態においては、バッファメモリ１０９に記憶されている画像形成データが不足し、バッファアンダーランのおそれがある場合に、画像の記録を一時停止させるようにしていたが、例えば、他の要因で（例えば、フォーカッシング制御が乱れて、画像の記録が適切に行えないような場合等）、画像の記録を一時停止させるように判定しても良い。【００７１】
また更に、本実施形態においては、光ディスク１０のレーベル面に画像を形成する場合について説明したが、例えば、光ディスク１０の情報記録面に画像を形成する場合や、情報記録面に通常のコンテンツデータを記録する場合に本願を適用しても良い。【００７２】
更にまた、本実施形態においては、情報記録装置を、ＤＶＤに対してコンテンツデータや画像を記録する光ディスク記録装置に適用したが、例えば、ＣＤやBlue-ray Disc等に対して記録を行う光ディスク記録装置に適用しても良いし、ディスク形状をした記録媒体に対して記録を行う情報記録装置に適用しても良い。【００７３】
なお、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。【００７４】
また、２００６年１月２４日に出願された明細書、特許請求の範囲、図面、要約を含む日本の特許出願（No.2006-15707）の全ての開示は、その全てを参照することよって、ここに組み込まれる。
【図１】
2007086297.tif 000003
【図２】
2007086297.tif 000004
【図３】
2007086297.tif 000005
【図４】
2007086297.tif 000006
【国際調査報告】
2007086297.tif 000007
2007086297.tif 000008
2007086297.tif 000009